【手続補正書】
【提出日】平成16年10月13日(2004.10.13)
【手続補正１】
【補正対象書類名】明細書
【補正対象項目名】発明の名称
【補正方法】変更
【補正の内容】
【発明の名称】観測装置、及び地上局
【手続補正２】
【補正対象書類名】明細書
【補正対象項目名】特許請求の範囲
【補正方法】変更
【補正の内容】
【特許請求の範囲】
【請求項１】
地球の上空を所定の高度で航行する複数の空間航行体と、上記空間航行体に地球を指向するように搭載され、地球表面の画像データを取得する撮像機と、上記複数の空間航行体の運用条件と上記撮像機の撮像条件を解析する運用計画機、上記空間航行体と情報授受して空間航行体と撮像機を運用制御する運用管制装置、及び上記撮像機の撮像した画像データを受信し記録するレコーダとを備えた第１の地上局及び第２の地上局と、地球上各地の地理情報及び位置情報を記述した地理情報データベースを格納した第１のメモリ、空間航行体の軌道条件や地上通過時刻及び撮像機の視野範囲を記述した空間航行体情報データベースを格納した第２のメモリ、及び観測目標を設定して撮像予約したデータを記述する撮像予約データベースを格納した第３のメモリ、及び上記第１から第３のメモリの格納するデータベースにアクセスして情報を処理するソフトウェアを格納した第４のメモリを備えた第３の地上局と、パーソナルコンピュータ等の計算機、及び上記第３の地上局の有するデータベースや第４のメモリにアクセスして上記計算機上で動作させるソフトウェアを格納した第５のメモリを備えた第４の地上局及び第５の地上局とにより構成され、上記第１から第５の地上局同士が互いに通信回線で接続されており、かつ上記運用計画機が、上記複数の空間航行体の中から、上記第３のメモリに格納された撮像予約データで撮影予約された観測目標に対して最も近い距離に位置する第１または第２の地上局と、最も近い距離を航行する空間航行体とを選択して最も近い第１または第２の地上局から上記撮像機に撮像指示を与える手段を有することを特徴とした観測装置。
【請求項２】
地球の上空を所定の高度で航行する複数の空間航行体と、上記空間航行体に地球を指向するように搭載され、地球表面の画像データを取得する撮像機と、上記空間航行体と情報授受して空間航行体と撮像機を運用制御する運用管制装置、及び上記撮像機の撮像した画像データを受信し記録するレコーダとを備えた第１の地上局及び第２の地上局と、上記複数の空間航行体の運用条件と上記撮像機の撮像条件を解析する運用計画機、地球上各地の地理情報及び位置情報を記述した地理情報データベースを格納した第１のメモリ、空間航行体の軌道条件や地上通過時刻及び撮像機の視野範囲を記述した空間航行体情報データベースを格納した第２のメモリ、及び観測目標を設定して撮像予約したデータを記述する撮像予約データベースを格納した第３のメモリ、及び上記第１から第３のメモリの格納するデータベースにアクセスして情報を処理するソフトウェアを格納した第４のメモリを備えた第３の地上局と、パーソナルコンピュータ等の計算機、及び上記第３の地上局の有するデータベースや第４のメモリにアクセスして上記計算機上で動作させるソフトウェアを格納した第５のメモリを備えた第４の地上局及び第５の地上局とにより構成され、上記第１から第５の地上局同士が互いに通信回線で接続されており、かつ上記運用計画機が、上記複数の空間航行体の中から、上記第３のメモリに格納された撮像予約データで撮影予約された観測目標に対して最も近い距離に位置する第１または第２の地上局と、最も近い距離を航行する空間航行体とを選択して最も近い第１または第２の地上局から上記撮像機に撮像指示を与える手段を有することを特徴とした観測装置。
【請求項３】
空間航行体が運用管制装置の発する信号に基づき上記空間航行体の姿勢角度を変更する姿勢変更機を具備することを特徴とした請求項１または２記載の観測装置。
【請求項４】
空間航行体が運用管制装置の発する信号に基づき上記空間航行体の搭載する撮像機の視野方向を変更する視野変更機を具備することを特徴とした請求項１または２記載の観測装置。
【請求項５】
空間航行体が運用管制装置の発する信号に基づき上記空間航行体の進行方向または停留位置を変更する推進機を具備することを特徴とした請求項１または２記載の観測装置。
【請求項６】
撮像機を搭載した複数の空間航行体との情報授受により空間航行体と撮像機を運用制御するとともに撮像機で撮影された画像データを受信し記録する複数の地上局、との間で通信回線で接続された観測装置であって、
上記複数の空間航行体の中から撮像予約された観測目標に対して最も近い距離を航行する空間航行体を選択するとともに、上記複数の地上局の中から上記観測目標に対して最も近い距離に配置された地上局を選択し、
当該選択された地上局から撮像機に対して撮像指示を与えるように地上局を動作させる運用計画機、
を備えたことを特徴とした観測装置。
【請求項７】
地球の上空を所定の高度で航行する複数の空間航行体と情報授受して、当該空間航行体に地球を指向するように搭載され地球表面の画像データを取得する撮像機と当該運用航行体とを運用制御する運用管制装置、
上記撮像機の撮像した画像データを受信し記録するレコーダ、
及び上記複数の空間航行体の運用条件と上記撮像機の撮像条件とを、解析する運用計画機、とを備えて、
上記運用管制装置とレコーダを同様に備える他の地上局と互いに通信回線で接続された地上局であって、
地球上各地の地理情報及び位置情報を記述した地理情報データベース、
空間航行体の軌道条件や地上通過時刻及び撮像機の視野範囲を記述した空間航行体情報データベース、
観測目標を設定して撮像予約したデータを記述する撮像予約データベース、
当該各データベースにアクセスして情報を処理するソフトウェアを格納したメモリ、
及び、上記各データベースやメモリにアクセスして動作するソフトウェアを格納したメモリを利用する、パーソナルコンピュータ等の計算機、
との間で、互いに通信回線で接続されており、
かつ、上記運用計画機が、上記複数の空間航行体の中から上記撮像予約データに撮影予約された観測目標に対して最も近い距離を航行する空間航行体を選択するとともに、上記撮像予約データに撮影予約された観測目標に対して最も近い距離に位置する地上局として自局を選択したときに、上記撮像機に撮像指示を与える手段を有することを特徴とした地上局。
【請求項８】
地球の上空を所定の高度で航行する複数の空間航行体と情報授受して、当該空間航行体に地球を指向するように搭載され地球表面の画像データを取得する撮像機と当該空間航行体とを運用制御する運用管制装置、
及び上記撮像機の撮像した画像データを受信し記録するレコーダとを備えて、
上記運用管制装置とレコーダを同様に備える他の地上局と互いに通信回線で接続された地上局であって、
上記複数の空間航行体の運用条件と上記撮像機の撮像条件とを、解析する運用計画機、
地球上各地の地理情報及び位置情報を記述した地理情報データベース、
空間航行体の軌道条件や地上通過時刻及び撮像機の視野範囲を記述した空間航行体情報データベース、
観測目標を設定して撮像予約したデータを記述する撮像予約データベース、
当該各データベースにアクセスして情報を処理するソフトウェアを格納したメモリ、
及び、上記各データベースやメモリにアクセスして動作するソフトウェアを格納したメモリを利用する、パーソナルコンピュータ等の計算機、
との間で、互いに通信回線で接続されており、
かつ、上記運用計画機から、上記複数の空間航行体の中から上記撮像予約データに撮影予約された観測目標に対して最も近い距離を航行する空間航行体の情報を受信するとともに、
上記運用計画機の指示によって、上記撮像予約データに撮影予約された観測目標に対して最も近い距離に位置する地上局として選択されたときに、上記撮像機に撮像指示を与える手段を有することを特徴とした地上局。